(57)【要約】第１、第２保持面をそれぞれ有する第１、第２主パッドを回転させてオムツ本体を前記股部で２つに折り畳む主折り機構と、前記フラップを保持するサブ保持面を有するサイドパッドを前記第１主パッドに対して回転させることで前記フラップを折るサブ折り機構と、を備え、前記接合部分を前記第２主パッドに保持させずに前記接合部分を露出させる切欠が前記第２主パッドの前記接合部分に相当する位置に形成されており、前記第１および第２保持面が互いに対面して閉じ、かつ、前記本体が２つに折られた状態において、前記切欠は前記接合部分に前記フラップが接合されるのを許容すると共に、前記サイドパッドが前記第１主パッドの胴回り方向に隣接して開いた位置から前記サブ保持面が前記第１保持面に対面して閉じた位置まで回転して嵌まり込むことを特徴とする。
2011152346.tif 000002
【特許請求の範囲】
【請求項１】
着用者の胴の一部を覆う第１胴部、着用者の胴の他の一部を覆う第２胴部および着用者の股を覆う股部が縦方向に連なる本体と、前記第１胴部の前記縦方向に延びる縁部に連なり前記縁部から前記縦方向に直交する胴回り方向に延び出し前記第２胴部の非肌面の接合部分に接合されるフラップを有する使い捨て着用物品の折り装置であって、
前記第１胴部を保持する第１保持面を有する第１主パッドと、
前記接合部分を保持せずに前記接合部分が露出した状態で前記第２胴部の一部を保持する第２保持面を有する第２主パッドと、
前記第１主パッドと前記第２主パッドとが前記縦方向に互いに隣接して開いた主開状態から前記第１保持面と前記第２保持面とが互いに対面して閉じた主閉状態に遷移するように前記第１主パッドと前記第２主パッドとを相対的に回転させることで、前記本体を前記股部で２つに折り畳む主折り機構と、
前記フラップを保持するサブ保持面を有するサイドパッドと、
前記サイドパッドが前記第１主パッドの前記胴回り方向に隣接して開いたサブ開位置から前記サブ保持面が前記第１保持面に対面して閉じたサブ閉位置まで前記サイドパッドを前記第１主パッドに対して回転させることで前記フラップの肌面が前記第２胴部の前記非肌面の接合部分に重なるように前記フラップを折るサブ折り機構と、を備え、
前記接合部分に相当する位置において前記接合部分を前記第２主パッドに保持させずに前記接合部分を露出させる切欠を前記第２主パッドが定義し、
前記主閉状態において、かつ、前記本体が前記股部において２つに折られた状態において、前記切欠は前記第２胴部の前記接合部分に前記フラップが接合されるのを許容すると共に、前記サイドパッドが前記サブ開位置から前記サブ閉位置まで回転して嵌まり込む折り装置。
【請求項２】
請求項１において、前記主折り機構は、前記主開状態から前記第２保持面が前記第１保持面に対面し、かつ、前記第２保持面の一部が前記第１保持面の一部に対し概ね平行となる位置まで、前記第２主パッドを前記第１主パッドに対して回転させる折り装置。
【請求項３】
請求項２において、前記主折り機構は、
第１軸線のまわりに各々回転する一対のアームと、前記各アームの先端部において、かつ、前記第１軸線に平行な第２軸線のまわりに前記第２主パッドを回転自在に支持するリストと、前記本体を折り畳むために前記アームおよびリストを所定の回転方向に回転させる主駆動機構と、を備える折り装置。
【請求項４】
請求項３の折り装置を主回転軸のまわりに回転するドラムに複数設けた折りシステムであって、前記主回転軸を中心とする搬送円に沿って前記第１保持面が設けられ、前記主駆動機構は、
前記主回転軸の回転で前記第１保持面が搬送円上を回転するのに伴って、前記第１主パッドに隣接した第１位置から前記第１主パッドの外周側の第２位置まで前記第２主パッドが移動するように前記アームを前記第１軸線のまわりに回転させるアーム回転機構と、
前記アーム回転機構によるアームの回転に伴って、前記第２主パッドを前記リストにおいて前記第２軸線の回りに回転させるリスト回転機構と、
を包含する折りシステム。
【請求項５】
請求項１の折り装置を主回転軸のまわりに回転するドラムの外周に複数設けた折りシステムであって、
前記ドラムの側面に設けられた第１カムと、
前記第１カムに案内される第１カムフォロアと、
前記第１カムフォロアが前記第１カムに沿って周回するのに伴い前記主折り機構を駆動する主駆動機構とを備える折りシステム。
【請求項６】
請求項５の折りシステムにおいて、前記１つの第１主パッドに対して前記サイドパッドおよびサブ折り機構を一対有し、
ここにおいて、前記ドラムの外周面に設けられた一対の第２カムと、
前記各第２カムに案内される第２カムフォロアと、
前記各第２カムフォロアが前記第２カムに沿って周回するのに伴い前記各サブ折り機構を駆動するサブ駆動機構とを備える折りシステム。
【請求項７】
請求項１において、前記折り畳まれるフラップの前記肌面側に設けられた第１ファスナ部材と、前記折り畳まれたフラップが重なる前記第２胴部の非肌面に設けられ前記第１ファスナ部材と係合する第２ファスナ部材が設けられている折り装置。
【請求項８】
着用者の胴の一部を覆う第１胴部、着用者の胴の他の一部を覆う第２胴部および着用者の股を覆う股部が縦方向に連なる本体と、前記第１胴部の前記縦方向に延びる縁部に連なり前記縁部から前記縦方向に直交する胴回り方向に延び出し前記第２胴部の非肌面の接合部分に接合されるフラップを有する使い捨て着用物品の折り方法であって、
前記第１胴部を第１主パッドで保持し、前記接合部分を保持せずに前記接合部分が露出した状態で前記第２胴部を第２主パッドで保持し、かつ前記フラップをサイドパッドで保持する工程と、
前記第２胴部の接合部分が前記第２主パッドで保持されずに露出した状態で、かつ、前記第１胴部の肌面と前記第２胴部の肌面とが互いに重なって接するように前記第１主パッドと前記第２主パッドの少なくとも一方を回転させて前記本体を前記股部において折る工程と、
前記第２胴部の接合部分が前記第２主パッドで保持されずに露出した状態で、かつ、前記両主パッドが前記本体を股部において折った状態で、前記露出した接合部分に向って前記フラップを保持した前記サイドパッドが前記第１主パッドに対して回転することで、前記フラップの肌面を前記接合部分に重ねて折る工程とを備える折り方法。
【請求項９】
着用者の胴の一部を覆う第１胴部、着用者の胴の他の一部を覆う第２胴部および着用者の股を覆う股部が縦方向に連なる本体部を有する使い捨て着用物品の折り装置であって、
前記第１胴部を保持する第１保持面を有する第１主パッドと、
前記第２胴部を保持する第２保持面を有する第２主パッドと、
前記第１主パッドと前記第２主パッドとが前記縦方向に互いに隣接して開いた主開状態から前記第１保持面と前記第２保持面とが互いに対面して閉じた主閉状態に遷移するように前記第１主パッドに対し前記第２主パッドを回転させることで、前記本体を前記股部で２つに折り畳む主折り機構と、を備え、
ここにおいて、前記主折り機構は、
第１軸線のまわりに各々回転する一対のアームと、前記各アームの先端部において、かつ、前記第１軸線に平行な第２軸線のまわりに前記第２主パッドを回転自在に支持するリストと、前記本体を折り畳むために前記アームおよびリストを所定の回転方向に回転させる主駆動機構と、を備える折り装置。
【請求項１０】
請求項９の折り装置を主回転軸のまわりに回転するドラムに複数設けた折りシステムであって、前記主回転軸を中心とする搬送円に沿って前記第１保持面が設けられ、前記主駆動機構は、
前記主回転軸の回転で前記第１保持面が搬送円上を回転するのに伴って、前記第１主パッドに隣接した第１位置から前記第１主パッドの外周側の第２位置まで前記第２主パッドが移動するように前記アームを前記第１軸線のまわりに回転させるアーム回転機構と、
前記アーム回転機構によるアームの回転に伴って、前記第２主パッドを前記リストにおいて前記第２軸線の回りに回転させるリスト回転機構と、
を包含する折りシステム。
【請求項１１】
請求項１０において、前記主折り機構は、前記第２保持面が前記第１保持面に対面し、かつ、前記第２保持面が前記第１保持面に対し平行となる位置まで、前記第２主パッドを前記第１主パッドに対して回転させる折りシステム。
【発明の詳細な説明】
【技術分野】
【０００１】
本発明は使い捨て着用物品の折り装置、折りシステムおよび折り方法に関するものである。
【背景技術】
【０００２】
従来より、オムツのような使い捨て着用物品の股部を２つに折る装置や方法が提供されている（特許文献１、２）。
【先行技術文献】
【特許文献】
【０００３】
【特許文献１】特開平７−２０５９４３
【特許文献２】特表２００９−５１９７４４
【発明の概要】
【発明が解決しようとする課題】
【０００４】
しかし、前記先行技術文献にはオムツのフラップを折り畳む技術は開示されていない。【０００５】
したがって、本発明の目的は、使い捨て着用物品を股部において折ると共にフラップを折ることのできる折り装置、折りシステムおよび折り方法を提供することである。
【課題を解決するための手段】
【０００６】
前記目的を達成するために、本発明の折り装置は、着用者の胴の一部を覆う第１胴部、着用者の胴の他の一部を覆う第２胴部および着用者の股を覆う股部が縦方向に連なる本体と、前記第１胴部の前記縦方向に延びる縁部に連なり前記縁部から前記縦方向に直交する胴回り方向に延び出し前記第２胴部の非肌面の接合部分に接合されるフラップを有する使い捨て着用物品の折り装置であって、前記第１胴部を保持する第１保持面を有する第１主パッドと、前記接合部分を保持せずに前記接合部分が露出した状態で前記第２胴部の一部を保持する第２保持面を有する第２主パッドと、前記第１主パッドと前記第２主パッドとが前記縦方向に互いに隣接して開いた主開状態から前記第１保持面と前記第２保持面とが互いに対面して閉じた主閉状態に遷移するように前記第１主パッドと前記第２主パッドとを相対的に回転させることで、前記本体を前記股部で２つに折り畳む主折り機構と、前記フラップを保持するサブ保持面を有するサイドパッドと、前記サイドパッドが前記第１主パッドの前記胴回り方向に隣接して開いたサブ開位置から前記サブ保持面が前記第１保持面に対面して閉じたサブ閉位置まで前記サイドパッドを前記第１主パッドに対して回転させることで前記フラップの肌面が前記第２胴部の前記非肌面の接合部分に重なるように前記フラップを折るサブ折り機構と、を備え、前記接合部分を前記第２主パッドに保持させずに前記接合部分を露出させるための切欠が前記第２主パッドの前記接合部分に相当する位置に形成されており、前記主閉状態において、かつ、前記本体が前記股部において２つに折られた状態において、前記切欠は前記第２胴部の前記接合部分に前記フラップが接合されるのを許容すると共に、前記サイドパッドが前記サブ開位置から前記サブ閉位置まで回転して嵌まり込む。【０００７】
着用物品は本折り装置によって、たとえば以下のように折られる。【０００８】
まず、前記第１胴部を第１主パッドで保持し、前記接合部分を保持せずに前記接合部分が露出した状態で前記第２胴部を第２主パッドで保持し、かつ前記フラップをサイドパッドで保持する。
ついで、前記第２胴部の接合部分が前記第２主パッドで保持されずに露出した状態で、かつ、前記第１胴部の肌面と前記第２胴部の肌面とが互いに重なって接するように前記第１主パッドと前記第２主パッドの少なくとも一方を回転させて前記本体を前記股部において折る。
前記本体を折り終わる直前または直後に、あるいは、前記本体を折り終わると同時に前記第２胴部の接合部分が前記第２主パッドで保持されずに露出した状態で、かつ、前記両主パッドが前記本体を股部において折った状態で、前記露出した接合部分に向って前記フラップを保持した前記サイドパッドを前記第１主パッドに対して回転させることで、前記フラップの肌面を前記接合部分に重ねて折る。
【発明の効果】
【０００９】
前記フラップが前記第２胴部の接合部分に重なるように折られる際に、前記接合部分に対応するフラップの部分を保持するサイドパッドは、前記第２主パッドに形成された切欠の部位に嵌り込むことで、前記サイドパッドがサブ開位置からサブ閉位置まで回転して嵌り込む。
こうして、フラップを折り畳むことができる。
【図面の簡単な説明】
【００１０】
【図１】図１は本発明の折り装置および方法によって折られたオムツを示す概略平面図である。
【図２】図２Ａおよび図２Ｂは、それぞれ、同オムツの折り方法を示す概略正面図である。
【図３】図３は同オムツの折りシステムを示す概略側面図である。
【図４】図４は同オムツの折りシステムの一部を示す概略平面図である。
【図５】図５は同折りシステムのカッタの近傍を示す概略側面図である。
【図６】図６は主開状態の折り装置を示す一部断面した概略側面図である。
【図７】図７は半開状態の同折り装置を示す同概略側面図である。
【図８】図８は主閉状態の同折り装置を示す同概略側面図である。
【図９】図９はサブ開位置のサブ折り機構を示す一部破断した概略正面図である。
【図１０】図１０はサブ閉位置のサブ折り機構を示す一部破断した概略正面図である。
【図１１】図１１は主開状態の折り装置を示す概略斜視図である。
【図１２】図１２は半開状態の折り装置を示す概略斜視図である。
【図１３】図１３は主閉状態の直前の折り装置を示す概略斜視図である。
【図１４】図１４は主閉状態で、かつ、サイドパッドがサブ閉位置の折り装置を示す概略斜視図である。
【図１５】図１５は折り装置を示す概略平面図である。
【図１６】図１６は主開状態の同折り装置を示す一部断面した概略正面図である。
【図１７】図１７は半開状態の同折り装置を示す同概略正面図である。
【図１８】図１８は主閉状態の直前の折り装置を示す同概略正面図である。
【図１９】図１９は主閉状態で、かつ、サイドパッドがサブ閉位置の同折り装置を示す同概略正面図である。
【図２０】図２０は主閉状態で、かつ、サイドパッドがサブ閉位置の同折り装置を示す概略断面図である。
【発明を実施するための形態】
【００１１】
本発明の好ましい実施例では、前記主折り機構は、前記主開状態から前記第２主保持面が前記第１主保持面に対面し、かつ、前記第２主保持面の一部が前記第１主保持面の一部に対し概ね平行となる位置まで、前記第２主パッドを前記第１主パッドに対して回転させる。
【００１２】
第２主パッドを第１主パッドに対して回転させるので、フラップが延び出す第１胴部を保持している第１主パッドを回転させる必要がない。したがって、前記第１主パッドに対して回転するサイドパッドのサブ折り機構の構造が簡易になる。
【００１３】
また、第２保持面が第１保持面に対し対面し、かつ、平行となる位置（正対する位置）まで回転させることにより、つまり、第２保持面が第１保持面に正対することにより、本体を更に正確に折ることができる。
【００１４】
この場合、好ましい主折り機構は、第１軸線のまわりに各々回転するアームと、前記各アームの先端部において、かつ、前記第１軸線に平行な第２軸線のまわりに前記第２主パッドを回転自在に支持するリストと、前記本体を折り畳むために前記アームおよびリストを所定の回転方向に回転させる主駆動機構と、を備える。
【００１５】
この態様によれば、第２主パッドをアームおよびリストの双方を介して回転自在に支持することで、第２主パッドの第２保持面を第１保持面に対して正対させることができる。
【００１６】
本発明の更に好ましい折りシステムは、折り装置を主回転軸のまわりに回転するドラムに複数設けた折りシステムであって、前記主回転軸を中心とする搬送円に沿って前記第１保持面が設けられ、前記主駆動機構は、前記主回転軸の回転で前記第１保持面が搬送円上を回転するのに伴って、前記第１主パッドに隣接した第１位置から前記第１主パッドの外周側の第２位置まで前記第２主パッドが移動するように前記アームを前記第１軸線のまわりに回転させるアーム回転機構と、前記アーム回転機構によるアームの回転に伴って、前記第２主パッドを前記リストにおいて前記第２軸線の回りに回転させるリスト回転機構と、を包含する。
【００１７】
この場合、第２主パッドはアームと共に公転移動しながら、リストのまわりに自転するので、ドラム上においてスムースな折り畳みが期待される。
【００１８】
本発明の別の好ましい折りシステムは、前記折り装置を主回転軸のまわりに回転するドラムの外周に複数設けた折りシステムであって、前記ドラムの側面に設けられた第１カムと、前記第１カムに案内される第１カムフォロアと、前記第１カムフォロアが前記第１カムに沿って周回するのに伴い前記主折り機構を駆動する主駆動機構とを備える。
【００１９】
この場合、１つのドラム上で着用物品の本体およびフラップを折り畳むことができ、システムがコンパクトになる。
【００２０】
本発明の更に好ましい折りシステムは、前記１つの第１主パッドに対して前記サイドパッドおよびサブ折り機構を一対有し、ここにおいて、前記ドラムの外周面に設けられた一対の第２カムと、前記各第２カムに案内される第２カムフォロアと、前記各第２カムフォロアが前記第２カムに沿って周回するのに伴い前記各サブ折り機構を駆動するサブ駆動機構とを備える。
【００２１】
一対のサブ折り機構をドラムに設ける場合、カムをドラムの側面に設けると構造が煩雑になり易い。
これに対し、ドラムの周面に一対のカムおよびカムフォロアを互いに対称に設けることにより、一対のサブ折り機構の構造が簡易になる。
【００２２】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。
【実施例】
【００２３】
以下、本発明の一実施例が図１〜図２０にしたがって説明される。
オムツ１：
図１に示すように、本実施例のオムツ１は、オムツ本体２と一対のフラップ３とを備えている。前記オムツ本体２は、着用者の前胴を覆うフロント部（第２胴部）２０、着用者の後胴を覆うバック部（第１胴部）２１、ならびに、前記フロント部２０とバック部２１との間の股間を覆う股部２２を有している。【００２４】
図２Ａに示すように、前記各フラップ３はオムツ本体２の縦方向Ｙの縁部Ｅ１から胴回り方向Ｘに延び出している。
前記各フラップ３の胴回り方向Ｘの端部Ｅ２の肌面３ａには、雄面ファスナ４からなる第１ファスナ部材がそれぞれ固定されている。
一方、図１のフロント部２０の非肌面２ｂには、雌面ファスナ５からなる第２ファスナ部材が設けられている。この図に示すように、前記雄面ファスナ４は雌面ファスナ５に係合する。前記雌面ファスナ５の一部はフラップ３が接合される接合部分５ａを構成する。【００２５】
なお、オムツ本体２の非肌面２ｂが不織布で形成されている場合には、当該不織布により第２ファスナ部材が構成されてもよい。
本明細書において、「肌面」とはオムツ１の着用時において着用者の肌面に直接的または間接的に対面する面をいい、「非肌面」とは前記肌面とは反対の面をいう。【００２６】
前記オムツ本体２には図示しない吸収体が設けられている。
オムツ本体２には立体ギャザーが設けられてもよい。
また、オムツ本体２には、着用者の脚部に沿ってカットされた脚回り部が設けられていてもよい。前記脚回り部や、前記フラップ３の脚回り部に連なる部位には、着用者の脚回りに沿うように、たとえば、糸ゴムなどからなる弾性部材が設けられていてもよい。【００２７】
さらに、オムツ本体２のフロント部２０およびバック部２１の胴回りとなる部分や前記フラップ３には、オムツ１を着用者にフィットさせるための弾性部材が設けられていてもよい。この弾性部材としては、たとえば、複数本の糸ゴムや平ゴム、フィルムまたは熱可塑性樹脂を含む材料などを採用することができる。【００２８】
図２Ａに示すように、前記オムツ１となる積層ウエブＷは、股部２２が２つに折り畳まれ、バック部２１の肌面２ａとフロント部２０の肌面２ａとが互いに重なるように折り畳まれる。図２Ａ、図２Ｂに示すように、フラップ３の肌面３ａがオムツ本体２のフロント部２０の雌面ファスナ５に向って折られ、前記一組のファスナ４，５が互いに係合して、オムツ本体２に一対のフラップ３が結合された状態でオムツ１が出荷される。【００２９】
図１の前記オムツ１の着用時には、フラップ３がオムツ本体２に結合された状態で、パンツ型オムツのように履いて着用する。一方、オムツ１が着用者に十分にフィットしない場合には、オムツ本体２の雌面ファスナ５からフラップ３の雄面ファスナ４を一旦剥がし、雄面ファスナ４を雌面ファスナ５に再結合させることで、オムツ１を着用者にフィットさせる。【００３０】
折りシステム：
つぎに、前記図２Ａおよび図２Ｂに示すように、積層ウエブＷを切断し、本体２およびフラップ３を折るための折りシステムについて説明する。
図３に示すように、本折りシステムは、折りドラム９を備えている。該折りドラム９にはカッタローラ３０が対向して配置されている。【００３１】
折りドラム９は、主回転軸９１の周りに回転する複数組の折りユニット１０を備える。周知のように、前記折りドラム９は、図３および図２０の前記主回転軸９１を回転自在に支持する固定フレームに固定された固定部１５Ａと、前記固定部１５Ａのまわりに回転可能に支持された回転部１６Ａ、１６Ｂとを備える。前記主回転軸９１には図示しないモータからの回転力が入力され、前記主回転軸９１の回転で前記回転部１６Ａ、１６Ｂが主軸線ＬＭを中心に回転する。【００３２】
図４および図１１に示すように、前記各折りユニット１０は、それぞれ、アンビル３１（図４）、主パッド１１、一対のサイドパッド１２、主折り機構４０およびサブ折り機構５０を備えている。前記主パッド１１は第１主パッド１１Ａおよび第２主パッド１１Ｂを包含し、両主パッド１１Ａおよび１１Ｂの双方を指称する場合には以下「主パッド１１」という。【００３３】
前記アンビル３１（図４）、主パッド１１、サイドパッド１２および折り機構４０、５０を含む前記各折りユニット１０は、図２０に示す回転部１６Ｂに取り付けられており、主回転軸９１の回転で回転部１６Ｂと共に主軸線ＬＭのまわりを回転する。【００３４】
図５に示すように、前記アンビル３１はカッタローラ３２および刃３３と共に切断装置３０を構成する。
図３の前記切断装置３０は前記ウエブＷの受取位置１Ｐ（図３）の下流においてウエブＷを個々のオムツに切断する。【００３５】
図３に示すように、本折りシステムにおいて前記主パッド１１（１１Ａ、１１Ｂ）およびサイドパッド１２（図４）は前記オムツ１となるウエブＷを前記折り畳みを行う折り畳み位置３Ｐよりも上流の受取位置１Ｐにおいて受け取る。前記主パッド１１（１１Ａ、１１Ｂ）は前記折り畳み位置３Ｐよりも下流の渡し位置４Ｐにおいて前記オムツ１を下流の図示しない搬送装置に渡す。前記折畳み位置３Ｐは切断位置２Ｐよりも下流に位置する。【００３６】
前記主パッド１１（１１Ａ、１１Ｂ）は、前記主回転軸９１を中心とする搬送円Ｃ（図５）に沿って設けられた第１および第２保持面１１ｓ１、１１ｓ２（図１１）で少なくとも前記本体２を受け取る。前記主パッド１１は前記本体２を前記第１および第２保持面上１１ｓ１、１１ｓ２に保持しながら前記主回転軸９１の回転に伴って前記搬送円Ｃに沿って移動する。
なお、図１５に示すように、前記第１および第２保持面上１１ｓ１、１１ｓ２には前記本体２をたとえば負圧で吸着して保持するための多数の空気孔ｈ１が開口している。【００３７】
図４〜図６に示すように、第１主パッド１１Ａは前記バック部２１（図２Ａ）を保持する第１保持面１１ｓ１を有する。一方、第２主パッド１１Ｂは前記接合部分５ａを保持せずに前記接合部分５ａが露出した状態で前記フロント部２０（図２Ａ）の一部を保持する第２保持面１１ｓ２を有する。【００３８】
前記主パッド１１（１１Ａ、１１Ｂ）の保持面１１ｓ１、１１ｓ２にはオムツ本体２の厚さに応じた凹凸が形成されている。また、第１主パッド１１Ａと第２主パッド１１Ｂとの間は縦方向Ｙに互いに離間しており、これにより、図８のように股部２２における折りが容易になる。【００３９】
図６〜図８および図１１〜図１４に示すように、主折り機構４０は図６の前記第１主パッド１１Ａと前記第２主パッド１１Ｂとが前記縦方向Ｙに互いに隣接して開いた主開状態から図８の前記第１保持面１１ｓ１と前記第２保持面１１ｓ２とが互いに対面して閉じた主閉状態に遷移するように前記第１主パッド１１Ａに対し前記第２主パッド１１Ｂを回転させることで、前記オムツ本体２を前記股部２２で２つに折り畳む。【００４０】
図４に示すように前記サイドパッド１２は前記第１主パッド１１Ａの前記搬送円Ｃ（図５）上に前記第１主パッド１１Ａに対し一対配置されている。図４に示すように、このサイドパッド１２は前記搬送円Ｃ（図５）に沿って設けられたサブ保持面上１２ｓに前記フラップ３の少なくとも胴回り方向Ｘの端部Ｅ２を受け取る。前記サブ保持面１２ｓ上に前記フラップ３の端部Ｅ２を吸着保持する。
前記サブ保持面１２ｓには前記フラップ３をたとえば負圧で吸着して保持するための図１５の複数の空気孔ｈ２が開口している。
なお、前記空気孔ｈ１、ｈ２は図１５においてのみ図示しており、その他の図においては図示していない。【００４１】
図４において前記サイドパッド１２のサブ保持面１２ｓは前記第１主パッド１１Ａから前記胴回り方向Ｘに離れて一対設けられている。前記サブ保持面１２ｓはフラップ３の非肌面３ｂの雄面ファスナ４に対応する部位の少なくとも一部を保持していればよい。【００４２】
図９のサブ折り機構５０は前記サイドパッド１２が前記第１主パッド１１Ａの前記胴回り方向Ｘに隣接して開いたサブ開位置Ｐｏから図１０の前記サブ保持面１２ｓが前記第１保持面１１ｓ１に対面して閉じたサブ閉位置Ｐｓまで前記サイドパッド１２を前記第１主パッド１１Ａに対して回転させることで、図２Ａの前記フラップ３の肌面３ａが前記フロント部２０の前記非肌面２ａの接合部分５ａに重なるように前記フラップ３を折る。【００４３】
図４の前記第２主パッド１１Ｂの前記接合部分５ａに相当する位置には切欠１１ｃが形成されている。前記切欠１１ｃは前記接合部分５ａを第２主パッド１１Ｂに保持させずに前記接合部分５ａを露出させる。【００４４】
図１０に示す前記切欠１１ｃは前記主閉状態において、かつ、前記オムツ本体２が前記股部２２において２つに折られた状態において、図１の前記フロント部２０の前記接合部分５ａに前記フラップ３が接合されるのを許容する。更に、前記切欠１１ｃは前記サイドパッド１２が図１１の前記サブ開位置Ｐｏから図１４の前記サブ閉位置Ｐｓまで回転して嵌まり込むのを許容する。
つまり、図４の前記切欠１１ｃの縦方向Ｙの長さＹ１１は前記サイドパッド１２の縦方向Ｙの長さＹ１２よりも大きく、かつ、図１０の主閉状態において、前記切欠１１ｃを定義する第２主パッド１１Ｂの端よりも前記サイドパッド１２が前記胴回り方向Ｘの外側に配置されている。【００４５】
図１において、第２主パッド１１Ｂが仮想線で示される。前記仮想線で示す前記第２主パッド１１Ｂは折り畳まれたフラップ３と重ならないように、前記切欠１１ｃが形成されている。より具体的には、前記フラップ３と前記フロント部２０とが重なる領域と、前記サブ閉位置Ｐｓのサイドパッド１２の領域との双方を包含する領域にわたって前記切欠１１ｃが形成される。【００４６】
本実施例の場合、フロント部２０の左右の上端部分を押える上端部１１ｅを前記第１主パッド１１Ｂに形成している。
つまり、切欠１１ｃは前記上端部１１ｅと前記股部２２との間において前記縦方向に沿った縁部Ｅ１を抉るように形成されている。【００４７】
図１０において、前記切欠１１ｃに相当する部位には第１主パッド１１Ａの第１保持面１１ｓ１があり、かつ、当該第１保持面１１ｓ１にはサイドパッド１２のサブ保持面１２ｓが図１０のサブ閉位置Ｐｓにおける前記切欠１１ｃの部位において対面する。
なお、前記上端部１１ｅにも前記空気孔ｈ１（図１５）が設けられていてもよい。【００４８】
また、本発明において、前記上端部１１ｅを前記第２主パッド１１Ｂに形成せずに、切欠１１ｃは前記フロント部２０の上端のコーナーに相当する部位に形成されていてもよい。【００４９】
図６の前記主折り機構４０は、図７および図８に示すように前記第２主パッド１１Ｂの第２保持面１１ｓ２が、前記第１主パッド１１Ａの第１保持面１１ｓ１と対面するように前記第２主パッド１１Ｂを前記第１主パッド１１Ａに対し回転させて、前記オムツ本体２を折り畳む。
以下、この主折り機構４０について説明する。【００５０】
図６〜図８に示すように、前記主折り機構４０は、前記第２保持面１１ｓ２が前記第１保持面１１ｓ１に対面し、かつ、前記第２保持面１１ｓ２の一部が前記第１保持面１１ｓ１の一部に対し概ね平行となる位置まで、前記第２主パッド１１Ｂを前記第１主パッド１１Ａに対して回転させる。各主折り機構４０は、それぞれ、図１１の主アーム１３、主リスト１４および主駆動機構４１を有する。【００５１】
図１１の前記主アーム１３は前記主回転軸９１（図３）に平行な第１軸線Ｌ１のまわりに回転する。前記主リスト１４は前記主アーム１３の先端部において第２軸線Ｌ２の周りに前記第２主パッド１１Ｂを回転自在に支持する。前記第２軸線Ｌ２は前記第１軸線Ｌ１に対し平行である。図５の主駆動機構４１は前記オムツ本体２を折り畳むために前記主アーム１３および主リスト１４を所定の回転方向に回転させる。【００５２】
図６において、前記各主駆動機構４１は、それぞれ、主アーム回転機構４２および主リスト回転機構４３を備える。【００５３】
前記主アーム回転機構４２は図３の前記主回転軸９１の回転で前記各主パッド１１が搬送円Ｃ上を回転するのに伴って、図６の前記第１主パッド１１Ａに隣接した第１位置Ｐ１１から図８の前記主パッド１１の外周側の第２位置Ｐ１２まで前記第２主パッド１１Ｂが移動するように前記主アーム１３を前記第１軸線Ｌ１のまわりに回転させる。【００５４】
一方、図１１の前記主リスト回転機構４３は、前記主アーム回転機構４２による主アーム１３の回転に伴って、前記第２主パッド１１Ｂを前記主リスト１４において前記第２軸線Ｌ２の回りに回転させる。この主リスト１４の回転と前記主アーム１３の回転により、図３のように、前記第２主パッド１１Ｂが第２位置Ｐ１２まで回転移動すると共に、図８の前記第２保持面１１ｓ２が前記第１保持面１１ｓ１に対面するまで回転してオムツ本体２が折り畳まれる。【００５５】
つぎに、前記主アーム回転機構４２の構造の詳細について説明する。
図３および図２０において前記固定フレームに固定された固定部１５Ａの側面には二点鎖線で示す円周状の第１カム溝（第１カム）１７が形成されている。一方、前記回転部１６Ａには主アーム回転機構４２ごとに回転体４４が回転自在に支持されている。図５の前記回転体４４に対し偏心した位置に、第１カムフォロア１８が回転体４４に取り付けられている。前記回転体４４には同軸上にプーリＰ１が取り付けられている。【００５６】
図３の前記回転体４４は前記回転部１６Ａと共に前記主回転軸９１のまわりに回転する。この回転時に、第１カムフォロア１８が第１カム溝１７に案内されて揺動し、これに伴い前記プーリＰ１が回転体４４と共に往復回転する。【００５７】
前記回転部１６Ａには図１１の主アーム回転軸４５が回転自在に取り付けられている。前記主アーム回転軸４５の一端にはプーリＰ２および主アーム１３が取り付けられている。図５の前記プーリＰ１が往復回転すると、無端状のベルトＢ１、プーリＰ２および図１１の主アーム１３が揺動し、これにより、第２主パッド１１Ｂが第１位置Ｐ１１と図１４の第２位置Ｐ１２との間を往復移動する。【００５８】
つぎに、前記主リスト回転機構４３の構造の詳細について説明する。
図６の前記主アーム回転軸４５にはプーリＰ３が主アーム回転軸４５と同軸上に設けられている。前記プーリＰ３は回転部１６Ｂに対し回転しないように固定されている。【００５９】
前記プーリＰ３の両側にはプーリＰ４およびプーリＰ５が配置されている。これらのプーリＰ３〜Ｐ５には無端状のベルトＢ２が巻回されている。前記プーリＰ５は主リスト１４を構成する回転軸４６の一端に固定されている。この回転軸４６には前記第２主パッド１１Ｂが固定されている。【００６０】
今、図５のプーリＰ１が閉方向Ｒ１に回転すると、前記ベルトＢ１も前記閉方向Ｒ１に回転し、これにより図１１のプーリＰ２および主アーム１３が閉方向Ｒ１に回転する。一方、図６のプーリＰ３は回転しないので、前記主アーム１３（図１１）の回転でベルトＢ２が閉方向Ｒ１に回転し、プーリＰ５が閉方向Ｒ１に回転する。これにより、図１１の第２主パッド１１Ｂは主リスト１４と共に閉方向Ｒ１に回転する。【００６１】
したがって、主アーム１３が閉方向Ｒ１に回転するのに伴って主リスト１４が閉方向Ｒ１に回転する。こうして、図１１〜図１４のように、主アーム１３が閉方向Ｒ１に回転すると、第１主パッド１１Ｂおよび回転軸４６が第１軸線Ｌ１のまわりに回転すると共に、第２軸線Ｌ２のまわりに回転する。また図８のように第２主パッド１１Ｂは第２保持面１１ｓ２の一部が第１保持面１１ｓ１の一部に平行となる姿勢まで回転して、第２保持面１１ｓ２が第１保持面１１ｓ１に対面する。【００６２】
このように、回転することで、図２Ａのオムツ本体２が折り畳まれる。【００６３】
なお、図３の第２主パッド１１Ｂが第２位置Ｐ１２から元の第１位置Ｐ１１に戻る動作（開動作）は前記閉方向Ｒ１に回転する動作と逆であり、その詳しい説明を省略する。【００６４】
図９の前記サブ折り機構５０は、図１０に示すように前記一対のサイドパッド１２のサブ保持面１２ｓが、前記第１主パッド１１Ａの第１保持面１１ｓ１と対面するように前記一対のサイドパッド１２を前記第１主パッド１１に対し回転させて、前記フラップ３を折り畳む。
以下、このサブ折り機構５０について説明する。【００６５】
図９、図１０および図１６〜図１９に示すように、図１０の前記サブ折り機構５０は、前記サブ保持面１２ｓが前記第１保持面１１ｓ１に対面し、かつ、前記サブ保持面１２ｓが前記第１保持面１１ｓ１に対し平行となる位置まで、前記一対のサイドパッド１２を前記第１主パッド１１Ａに対して回転させる。各サブ折り機構５０は、それぞれ、サブアーム６３、サブリスト６４およびサブ駆動機構５１を有する。【００６６】
図１６の前記各サブアーム６３はドラム９（図３）の接線方向に延びる第３軸線Ｌ３のまわりに各々回転する。前記各サブリスト６４は前記各サブアーム６３の先端部において第４軸線Ｌ４の周りに前記サイドパッド１２を回転自在に支持する。前記第４軸線Ｌ４は前記第３軸線Ｌ３に対し平行である。サブ駆動機構５１は前記フラップ３を折り畳むために前記サブアーム６３およびサブリスト６４を所定の回転方向に回転させる。【００６７】
図９の前記サブ駆動機構５１は、それぞれ、サブアーム回転機構５２およびサブリスト回転機構５３を備える。前記各サブ駆動機構５１は左右対称の構造を有している。以下、一方のサブアーム回転機構５２およびサブリスト回転機構５３について説明する。【００６８】
前記サブアーム回転機構５２は前記主回転軸９１（図３）の回転で前記各主パッド１１が搬送円Ｃ上を回転するのに伴って、図９の前記第１主パッド１１Ａに隣接したサブ開位置Ｐｏから図１０の前記第１主パッド１１Ａの外周側のサブ閉位置Ｐｓまで前記サイドパッド１２が移動するように前記サブアーム６３を前記第３軸線Ｌ３のまわりに回転させる。【００６９】
一方、前記サブリスト回転機構５３は、前記サブアーム回転機構５２によるサブアーム６３の回転に伴って、前記サイドパッド１２を前記サブリスト６４において前記第４軸線Ｌ４の回りに回転させる。このサブリスト６４の回転と前記サブアーム６３の回転により、図１６〜図１９のように、前記サイドパッド１２がサブ閉位置Ｐｓまで回転移動すると共に、図１８の前記サブ保持面１２ｓが前記第１保持面１１ｓ１に対面するまで回転してフラップ３が折り畳まれる。【００７０】
つぎに、前記サブアーム回転機構５２の構造の詳細について説明する。
図１６に示すように、前記固定部１５Ｂの外周面には円周状の第２カム溝６７が形成されている。一方、前記回転部１６Ｂには各サブアーム回転機構５２ごとに前記第２カム溝６７に案内される第２カムフォロア６８が設けられている。前記第２カムフォロア６８はスライダ６９に取り付けられており、前記スライダ６９はレール６１に沿って前記第１軸線Ｌ１（図１１）に平行な方向に往復移動する。【００７１】
図９において、前記スライダ６９にはラック６２が一体に形成されており、このラック６２は第２アーム６３のピニオン６３ｐに歯合している。【００７２】
前記第２アーム６３は第３軸線Ｌ３のまわりに回転可能に支持されている。図９に示すように、前記第２アーム６３には前記第３軸線Ｌ３を中心に固定プーリＰ３１が設けられ、前記第４軸線Ｌ４に回転プーリＰ３２が設けられている。前記固定プーリＰ３１および回転プーリＰ３２にはベルトＢ３が巻回されている。なお、Ｐ３３は前記ベルトＢ３に歯合するプーリである。【００７３】
今、図３の回転部１６Ａ（図２０参照）が主回転軸９１の回りを回転すると、図１６の第２カム溝６７に案内されて図１６〜図１９のように、一対のスライダ６９がレール６１に沿って閉方向Ｒ２に移動する。これにより図９のラック６２が閉方向Ｒ２に移動し、ピニオン６３ｐと共にサブアーム６３が第３軸線Ｌ３のまわりに閉方向Ｒ２に回転する。【００７４】
一方、プーリＰ３１は回転しないので、前記サブアーム６３の回転でベルトＢ３が閉方向Ｒ２に回転し、プーリＰ３２が閉方向Ｒ２に回転する。これにより、サイドパッド１２はサブリスト６４と共に閉方向Ｒ２に回転する。【００７５】
したがって、図９のサブアーム６３が閉方向Ｒ２に回転するのに伴ってサブリスト６４が閉方向Ｒ２に回転する。こうして、図１６〜図１９のように、サブアーム１３が閉方向Ｒ２に回転すると、サイドパッド１２が第３軸線Ｌ３のまわりに回転すると共に、第４軸線Ｌ４のまわりに回転する。サイドパッド１２はサブ保持面１２ｓが第１保持面１１ｓ１に平行となる姿勢まで回転して、サブ保持面１２ｓが第１保持面１１ｓ１に対面する。【００７６】
このように、回転することで、図２Ａのオムツ１のフラップ３が図２Ｂのように折り畳まれる。【００７７】
なお、図１０のサイドパッド１２がサブ閉位置Ｐｓから図９のように元のサブ開位置Ｐｏに戻る動作（開動作）は前記閉方向Ｒ２に回転する動作と逆であり、その詳しい説明を省略する。【００７８】
つぎに、ウエブＷからオムツ１が生成される方法について説明する。
図２Ａに示すように、オムツ本体２が連なった連続体の状態で図３の受取位置１Ｐにおいて、ウエブＷが折りドラム９の主パッド１１上に供給される。【００７９】
この受取位置１Ｐを含む角θ１において、図１１のように、主パッド１１（１１Ａ、１１Ｂ）は主開状態となっており、かつ、第２主パッド１１Ｂは第１主パッドに隣接した第１位置Ｐ１１に位置している。したがって、図１１に示される各保持面１１ｓ１、１１ｓ２および１２ｓはウエブＷを吸着保持してウエブＷを受け取る。この際、図４に示すように、オムツ本体２が第１および第２保持面１１ｓ１、１１ｓ２上に配置され、かつ、フラップ３が第１保持面１１ｓ１とサブ保持面１２ｓ上に跨って配置され、フラップ３がサブ保持面１２ｓに保持される。
なお、図３の角θ１において第１カム溝１７の径は一定である。【００８０】
この状態で図３の折りドラム９が回転すると、前記受取位置１Ｐと前記折り畳み位置３Ｐとの間の切断位置２Ｐにおいて、前記主パッド１１およびサイドパッド１２により前記搬送円Ｃに沿って伸張された状態の前記ウエブＷが図２Ａの切断線ＣＬにおいて切断されて、個々のオムツ１が前記ウエブＷから切り取られる。【００８１】
前記切り取られたオムツ１は図３の折り畳み位置３Ｐに至るまでに以下のように折り畳まれる。
主回転軸９１のまわりの角θ２において、第１カム溝１７は下流Ｙに行くに従い径が小さくなっている。この角θ２において折りユニット１０が下流Ｙに向って回転するのに伴い主アーム１３および主リスト１４が閉方向Ｒ１に回転する。【００８２】
すなわち、折りユニット１０が折り畳み位置３Ｐに向って回転すると、第１カム溝１７に第１カムフォロア１８が案内されて、前述のように主アーム１３が閉方向Ｒ１に回転し、かつ、図１２の主リスト１４が閉方向Ｒ１に回転する。図３の折り畳み位置３Ｐに到達する直前に図１３および図１８のように、サブ折り機構５０が作動し始める。【００８３】
すなわち、主折り機構４０により主パッド１１（１１Ａ、１１Ｂ）が閉じ始めた後、主折り機構４０により主パッド１１が閉じ終わる主閉状態に至るまでの間に、サブ折り機構により一対のサイドパッド１２がサブ開位置Ｐｏからサブ閉位置Ｐｓに向って回動を開始する。【００８４】
更に、図３の折り畳み位置３Ｐに至ると、図８のように、主アーム１３および主リスト１４（図１１）の回転により、第１主パッド１１Ａの一部に第２主パッド１１Ｂが正対し、オムツ本体２が股部２２において２つに折り畳まれる。【００８５】
一方、図１０のように、サブアーム６３およびサブリスト６４が回転してサブ保持面１２ｓが第１保持面１１ｓ１に正対すると、フラップ３が折り畳まれて雄面ファスナ４が雌面ファスナ５に接して係合する。【００８６】
すなわち、前記フロント部２０の接合部分５ａが前記第２主パッド１１Ｂで保持されずに露出した状態で、かつ、前記両主パッドが前記オムツ本体２を股部２２において折った状態で、前記露出した接合部分５ａに向って前記フラップ３を保持した前記サイドパッド１２が前記第１主パッド１１Ａに対して回転することで、前記フラップ３の肌面を前記接合部分５ａに重ねて折る。
このとき、サブ保持面１２ｓと第１保持面１１ｓ１とが正対することで、両面ファスナ４、５が互いに正対して係合されるので、両面ファスナ４、５の係合が確実に行われる。【００８７】
こうして、図１のオムツ本体２およびフラップ３が折り畳まれると共に、折られたフラップ３が雄面ファスナ４および雌面ファスナ５を介してオムツ本体２に固定され、フラップ３を折り畳んだ状態で吸着保持することが可能となる。【００８８】
ここで、図１３および図１４に示すように、前記接合部分５ａ（図１）を前記第２主パッド１１Ｂに保持させずに前記接合部分５ａ（図１）を露出させる切欠１１ｃが前記第２主パッド１１Ｂの前記接合部分５ａ（図１）に相当する位置に形成されている。
前記主閉状態において、かつ、前記オムツ本体２が前記股部２２において２つに折られた状態において、前記切欠１１ｃは前記フロント部２０の前記接合部分５ａに前記フラップ３が接合されるのを許容すると共に、前記サイドパッド１２が前記サブ開位置Ｐｏから前記サブ閉位置Ｐｓまで回転して前記切欠１１ｃに前記サイドパッド１２が嵌まり込む。【００８９】
図３の主回転軸９１のまわりの角θ３において、前記折られた状態が維持されてもよい。ついで、角θ３において、前記閉じたアーム１３、６３（図１４）およびリスト１４、６４（図１４）が開方向に回転する。
なお、角θ３において、第１カム溝１７は下流Ｙ１に行くに従い径が大きくなっている。
また、アーム１３、６３（図１４）およびリスト１４、６４（図１４）が開き始める前に、図１５のサブ保持面１２ｓおよび第２保持面１１ｓ２に設けた空気孔ｈ１、ｈ２による吸着を解除する。【００９０】
前記アーム１３、６３（図１１）およびリスト１４、６４（図１１）が開いた後に、図３の渡し位置４Ｐにおいて、オムツ１が図示しない搬送装置に渡される。この渡す際に、図１５の第１主パッド１１Ａに設けた空気孔ｈ１による吸着を解除する。【００９１】
なお、前記オムツ１を渡した折りユニット１０は前記受取位置１Ｐに向って回転し続ける。【００９２】
本発明において、第２主パッドが第１主パッドに向って回転せずに、第１主パッドが第２主パッドに向って回転してもよい。また、両主パッドの双方が回転してもよい。
折りユニットはドラムではなくコンベヤ上に設けられていてもよい。【００９３】
前記実施例ではウエブを縦方向に搬送する縦流れの場合について説明したが、ウエブは多数のオムツが胴回り方向に互いに連なり前記ウエブを前記胴回り方向に沿って搬送する、いわゆる横流れの場合にも適用し得る。
この場合において、本体を折るためのカムはドラムの外周に設けられ、フラップを折るためのカムはドラムの側面に設けられてもよい。【００９４】
フラップは本体に一体に連なっていてもよいし、本体に接合されていてもよい。つまり、フラップはいわゆるサイドパネルといわれるものを包含する。【００９５】
以上のとおり、図面を参照しながら好適な実施例を説明したが、当業者であれば、本明細書を見て、自明な範囲内で種々の変更および修正を容易に想定するであろう。
たとえば、フラップはフロント部の縁から胴周り方向に延び出していてもよい。また、オムツは第１および第２ファスナ部材を有していなくてもよく、ホットメルト接着剤によりフラップが本体に仮止めされてもよい。【００９６】
各パッドは負圧により吸着される必要はなく、複数の針をウエブに刺すことによりパッドにウエブを保持してもよい。【００９７】
また、アームおよびリストを回転駆動する機構にベルトでなく歯車を用いてもよい。また、アームおよびリストの双方を回転させる機構は、各々、別々に設けてもよい。
また、保持面同士が互いに対面するようにパッドを回転させれば、アームとリストの双方を回転させる必要はない。【００９８】
なお、各プーリとしては歯付プーリを用いるのが好ましく、ベルトとしてはタイミングベルトを用いるのが好ましい。【００９９】
したがって、そのような変更および修正は、請求の範囲から定まる本発明の範囲内のものと解釈される。
【産業上の利用可能性】
【０１００】
本発明は使い捨てオムツのような着用物品の本体およびフラップを折る折りシステムに適用される。
【符号の説明】
【０１０１】
１：オムツ（使い捨て着用物品の一例）
２：オムツ本体
２ａ：肌面
２ｂ：非肌面
３：フラップ
３ａ：肌面
３ｂ：非肌面
４：雄面ファスナ
５：雌面ファスナ
５ａ：接合部分
９：折りドラム
９１：主回転軸
１０：折りユニット
１１Ａ：第１主パッド
１１Ｂ：第２主パッド
１１ｓ１：第１保持面
１１ｓ２：第２保持面
１２：サイドパッド
１２ｓ：サブ保持面
１３：主アーム
１４：主リスト
１７：第１カム溝（第１カム）
１８：第２カムフォロア
２０：フロント部（第２胴部）
２１：バック部（第１胴部）
２２：股部
Ｅ１：縁部
Ｅ２：端部
Ｌ１：第１軸線
Ｌ２：第２軸線
３０：切断装置
３１：アンビル
３２：カッタローラ
３３：刃
４０：主折り機構
４１：主駆動機構
４２：主アーム回転機構
４３：主リスト回転機構
５０：サブ折り機構
５１：サブ駆動機構
６７：第２カム溝（第２カム）
６８：第２カムフォロア
Ｘ：胴回り方向
Ｙ：縦方向
Ｙ１：下流
【図１】
2011152346.tif 000003
【図２】
2011152346.tif 000004
【図３】
2011152346.tif 000005
【図４】
2011152346.tif 000006
【図５】
2011152346.tif 000007
【図６】
2011152346.tif 000008
【図７】
2011152346.tif 000009
【図８】
2011152346.tif 000010
【図９】
2011152346.tif 000011
【図１０】
2011152346.tif 000012
【図１１】
2011152346.tif 000013
【図１２】
2011152346.tif 000014
【図１３】
2011152346.tif 000015
【図１４】
2011152346.tif 000016
【図１５】
2011152346.tif 000017
【図１６】
2011152346.tif 000018
【図１７】
2011152346.tif 000019
【図１８】
2011152346.tif 000020
【図１９】
2011152346.tif 000021
【図２０】
2011152346.tif 000022
【国際調査報告】
2011152346.tif 000023
2011152346.tif 000024
2011152346.tif 000025
2011152346.tif 000026